(57)【要約】【課題】通信機の利便性を向上すること。【解決手段】１つの態様において、通信機は、プロセッサと、前面ケースと背面ケースとを接合して形成される筐体と、前面ケースの外壁面側に取り付けられる物理キーパッドと、前面ケースの内壁面側に設けられるスピーカ格納部と、スピーカとを備える。プロセッサは、通話中の送話音声を送信するために予め所定の操作が要求される無線機用サービスを提供する第１通話機能を用いた通話処理、又は通話中の送話音声を送信するために所定の操作が要求されない電話機用サービスを提供する第２通話機能を用いた通話処理を実行する。物理キーパッドは、前面ケースの外壁面側に取り付けられる。スピーカ格納部は、前面ケースの内壁面側に設けられる。スピーカは、前面ケースと物理キーパッドとの当接面に対向するように、内壁面側に音を放出させる向きでスピーカ格納部に取り付けられる。【選択図】図８
2018201160.tif 000002
【特許請求の範囲】
【請求項１】
通話中の送話音声を送信するために予め所定の操作が要求される無線機用サービスを提供する第１通話機能を用いた通話処理、又は通話中の送話音声を送信するために前記所定の操作が要求されない電話機用サービスを提供する第２通話機能を用いた通話処理を実行するプロセッサと、
前面ケースと背面ケースとを接合して形成される直方体状の筐体と、
前記前面ケースの外壁面側に取り付けられる物理キーパッドと、
前記前面ケースの内壁面側に設けられるスピーカ格納部と、
前記前面ケースと前記物理キーパッドとの当接面に対向するように、前記内壁面側に音を放出させる向きで、前記スピーカ格納部に取り付けられるスピーカと
を備える通信機。
【請求項２】
前記スピーカが有する振動板の形状が円錐状又はドーム状である場合、前記振動板が少なくとも１８ミリメートル以上の実効振動半径を有し、
前記スピーカが有する振動板の形状が平面状である場合、前記振動板が３６８平方ミリメートル以上の面積を有する請求項１に記載の通信機。
【請求項３】
前記前面ケースは、前記スピーカが前記スピーカ格納部に取り付けられることによって前記スピーカと前記前面ケースの内壁面との間に形成される気室から、前記筐体の外部に通じる貫通孔を少なくとも１つ有する請求項２に記載の通信機。
【請求項４】
前記前面ケースは、前記筐体の外部から前記気室に通じるスピーカ孔を有する請求項３に記載の通信機。
【請求項５】
前記前面ケースは、前記スピーカ孔及び前記貫通孔をそれぞれ異なる面に有し、
前記スピーカ孔及び前記貫通孔は、前記スピーカ孔からの音声の出力方向に直交する向きに沿って、一定以上の間隔をあけて位置する請求項４に記載の通信機。
【請求項６】
前記筐体の長手方向に沿って前記物理キーパッドと隣り合うように前記前面ケースに配設される表示部をさらに備える請求項１から５のいずれか１つに記載の通信機。
【請求項７】
前記筐体に、前記第１通話機能を用いた通話処理において通話中の音声を送信させるための送信キーをさらに備え、
前記プロセッサは、
前記送信キーに対する操作が継続中であることを条件として、前記操作の継続中に入力される送話音声の送信を実行する請求項１から６のいずれか１つに記載の通信機。
【請求項８】
前記筐体に、緊急報知を実行する緊急報知キーをさらに備える請求項１から７のいずれか１つに記載の通信機。
【請求項９】
前記背面ケースに、アクセサリ取付け部を備える請求項１から８のいずれか１つに記載の通信機。
【発明の詳細な説明】
【技術分野】
【０００１】
本出願は、通信機に関する。
【背景技術】
【０００２】
従来、通信機がある。通信機は、例えば、電気通信事業者が提供する電話サービス等を利用するための携帯電話及びＰＨＳ（Ｐｅｒｓｏｎａｌ  Ｈａｎｄｙｐｈｏｎｅ  Ｓｙｓｔｅｍ）から、ＶＨＦ（Ｖｅｒｙ  Ｈｉｇｈ  Ｆｒｅｑｕｅｎｃｙ）並びにＩＰ（Ｉｎｔｅｒｎｅｔ  Ｐｒｏｔｏｃｏｌ）を利用して通信する簡易無線機など多岐にわたる。
【先行技術文献】
【特許文献】
【０００３】
【特許文献１】特開２０１４−１１５７１７号公報
【発明の概要】
【発明が解決しようとする課題】
【０００４】
上記通信機において、利便性の向上が望まれる。
【課題を解決するための手段】
【０００５】
１つの態様に係る通信機は、プロセッサと、前面ケースと背面ケースとを接合して形成される筐体と、前面ケースの外壁面側に取り付けられる物理キーパッドと、前面ケースの内壁面側に設けられるスピーカ格納部と、スピーカとを備える。プロセッサは、通話中の送話音声を送信するために予め所定の操作が要求される無線機用サービスを提供する第１通話機能を用いた通話処理、又は通話中の送話音声を送信するために所定の操作が要求されない電話機用サービスを提供する第２通話機能を用いた通話処理を実行する。物理キーパッドは、前面ケースの外壁面側に取り付けられる。スピーカ格納部は、前面ケースの内壁面側に設けられる。スピーカは、前面ケースと物理キーパッドとの当接面に対向するように、内壁面側に音を放出させる向きでスピーカ格納部に取り付けられる。
【図面の簡単な説明】
【０００６】
【図１】図１は、実施形態に係る通信機の外観を示す斜視図である。
【図２】図２は、実施形態に係る通信機の外観を示す６面図である。
【図３】図３は、実施形態に係るスピーカ取付前の前面ケースの内壁面側を示す正面図である。
【図４】図４は、実施形態に係る前面ケースの内壁面側を示す斜視図である。
【図５】図５は、実施形態に係るスピーカ周辺の組立を外壁面側から示す組立図である。
【図６】図６は、実施形態に係るスピーカ取付後の前面ケースの内壁面側を示す正面図である。
【図７】図７は、実施形態に係る前面ケースの内壁面側を示す斜視図を部分的に拡大した図である。
【図８】図８は、実施形態に係る図２のＩ−Ｉ線における断面を拡大して示す図である。
【図９】図９は、実施形態に係る図２のＩＩ−ＩＩ線における断面を拡大して示す図である。
【図１０】図１０は、実施形態に係る通信機の機能構成の一例を示す図である。
【発明を実施するための形態】
【０００７】
本出願に係る実施形態を、図面を参照しつつ詳細に説明する。以下の説明において、同様の構成要素について同一の符号を付すことがある。さらに、重複する説明は省略することがある。
【０００８】
図１及び図２を用いて、実施形態に係る通信機の外観を説明する。図１は、実施形態に係る通信機の外観を示す斜視図である。図２は、実施形態に係る通信機の外観を示す６面図である。図２に示す６面図は、通信機１の平面図Ｖ１、通信機１の左側面図Ｖ２、通信機１の正面図Ｖ３、通信機１の右側面図Ｖ４、通信機１の背面図Ｖ５、通信機１の底面図Ｖ６で構成される。
【０００９】
図１及び図２に示すように、実施形態に係る通信機１は、前面ケース１００と背面ケース２００とを接合した直方体状の筐体３００を有する。前面ケース１００は前面ケースの一例であり、背面ケース２００は背面ケースの一例であり、筐体３００は筐体の一例である。
【００１０】
通信機１は、正面図Ｖ３に示すように、マイク２Ａと、レシーバ７と、キーパッド３と、ディスプレイ４と、近接センサ５と、ＬＥＤ（Ｌｉｇｈｔ−Ｅｍｉｔｔｉｎｇ  Ｄｉｏｄｅ）２１とを有する。キーパッド３及びディスプレイ４は、筐体３００の長手方向（図１に示すｙ軸方向）に沿って隣り合うように前面ケース１００に配設されている。マイク２Ａ、レシーバ７、近接センサ５、ＬＥＤ２１は、ディスプレイ４の上部側（図１に示すｙ軸のプラス方向側）に配設されている。マイク２Ａは、通話中の音声又は音声認識処理用の音声などを集音する。
【００１１】
また、正面部Ｖ３に示すように、前面ケース１００には、マイク２Ａ及びレシーバ７の開口部１１０、並びにスピーカ孔１２０が設けられる。正面図Ｖ３に示す前面ケース１００の面は、通信機１を利用するユーザと対面する、あるいはユーザに接する面であり、以下の説明おいて「外壁面」と記載する。反対に、正面図Ｖ３に現れていない前面ケース１００の「外壁面」の裏面を、以下の説明において「内壁面」と記載する。
【００１２】
通信機１は、左側面図Ｖ２に示すように、筐体３００に、無線機用サービスによる通話中の音声を送信するために操作する送信キー２２と、通話中の音声等を調整する音量調節キー２３とを備える。また、左側面図Ｖ２に示すように、筐体３００には、通信機１の内部に収容されるスピーカ１１に通じる貫通孔の開口部１３０ａが設けられている。送信キー２２は、送信キーの一例である。
【００１３】
通信機１は、右側面図Ｖ４に示すように、筐体３００に緊急報知キー２４を有する。また、右側面図Ｖ４に示すように、筐体３００には、通信機１の内部に収容されるスピーカ１１に通じる貫通孔の開口部１３０ｂが設けられている。
【００１４】
通信機１は、平面図Ｖ１に示すように、筐体３００にアクセサリ取付け部２１０を有する。アクセサリ取付け部２１０は、通信機１にあわせて製造された各種アクセサリが取り付けられる。
【００１５】
通信機１は、底面図Ｖ６に示すように、マイク２Ｂを有する。マイク２Ｂは、通話中の音声、又は音声認識処理用の音声などを集音する。
【００１６】
通信機１は、背面図Ｖ５に示すように、マイク２Ｃと、カメラ１２と、フラッシュ２５とを有する。マイク２Ｃは、例えば、通話中の周囲の雑音を低減するノイズキャンセリング処理に用いられる。
【００１７】
図３は、実施形態に係るスピーカ取付前の前面ケースの内壁面側を示す正面図である。図４は、実施形態に係る前面ケースの内壁面側を示す斜視図である。図５は、実施形態に係るスピーカ周辺の組立を外壁面側から示す組立図である。図６は、実施形態に係るスピーカ取付後の前面ケースの内壁面側を示す正面図である。
【００１８】
図３に示すように、前面ケース１００は、内壁面側に、スピーカ１１を格納するためのスピーカ格納部１４０を備える。また、図４に示すように、スピーカ格納部１４０は、スピーカ１１が当接する当接面１４０ａ、及びスピーカ１１と前面ケース１００の内壁面との間隔を決める段差１４０ｂを備えている。スピーカ格納部１４０は、円形状に加工されている。
【００１９】
図５に示すように、スピーカ１１は、前面ケース１００とキーパッド３との当接面に対向するように、内壁面側に音を放出させる向き（図４に示すｚ軸のマイナス方向）で、スピーカ格納部１４０に取り付けられ、固定パネル１５０により固定される。スピーカ１１は、例えば、振動板の形状が円錐状又はドーム状で丸型タイプであり、振動板が少なくとも１８ミリメートル以上の実効振動半径φを有する。図６に示すように、スピーカ格納部１４０の露出面全体は、スピーカ１１が取り付けられることによって覆い隠された状態となる。なお、振動板は、丸型タイプのみに限定されず、短辺の長さが１６ミリメートル以上で、長辺の長さが２３ミリメートル以上、すなわち、３６８平方ミリメートル以上の面積を有する平面状の長方形タイプであってもよい。
【００２０】
図７は、実施形態に係る前面ケースの内壁面側を示す斜視図を部分的に拡大した図である。図７に示すように、スピーカ格納部１４０は、スピーカ１１がスピーカ格納部１４０に取り付けられることによって、スピーカ１１と前面ケース１００の内壁面との間に形成される気室（図８及び図９参照）から、筐体３００の外部に連通する貫通孔１３１ａ，１３１ｂを有する。貫通孔１３１ａ，１３１ｂは、スピーカ１１の中心を挟んでスピーカ孔１２０とは反対側にあり、互いに対称な位置（スピーカ１１の中心を通り、かつｙ軸に平行な直線に対して線対称な位置）に設けられている。
【００２１】
図８は、実施形態に係る図２のＩ−Ｉ線における断面を拡大して示す図である。図９は、実施形態に係る図２のＩＩ−ＩＩ線における断面を拡大して示す図である。
【００２２】
図８に示すように、スピーカ１１がスピーカ格納部１４０に取り付けられることによって、スピーカ１１と前面ケース１００の内壁面との間に気室５００が形成される。貫通孔１３１ａ，１３１ｂは、筐体３００の外部から気室５００に通じている。また、図９に示すように、前面ケース１００に設けられているスピーカ孔１２０も、貫通孔１３１ａ，１３１ｂと同様に、筐体３００の外部から気室５００に通じている。
【００２３】
筐体などに収容される内蔵型のスピーカは、振動板が不均一に振動するローリング現象の発生により、音ずれ及び異音などを生じさせる恐れがある。ローリング現象の発生を防止するには、振動板をできるだけ均一に振動させる必要がある。振動板をできるだけ均一に振動させるには、スピーカの振動板の真上、かつ中心付近にスピーカ孔を設けるのがよい。しかしながら、通信機１にように、キーパッド３、ディスプレイ４、実効振動半径φが１８ミリメートル以上のスピーカ１１が搭載される場合、筐体設計上の制約並びにデザイン性の都合上、スピーカ１１の真上にスピーカ孔１２０を設けることは難しい。このため、例えば、通信機１は、図２に示すように、キーパッド３の下側（図１に示すｙ軸のマイナス方向側）にスピーカ孔１２０を設けている。図２に示すスピーカ孔１２０の位置は、スピーカ１１の振動板の真上ではないので、このままでは振動板の振動が不均一になってしまうおそれがある。そこで、通信機１は、スピーカ格納部１４０に貫通孔１３１ａ，１３１ｂを設けて、気室５００からの空気の抜け孔としてスピーカ孔１２０以外の別の抜け孔を確保する。これにより、通信機１は、気室５００からの空気の抜け孔がスピーカ孔１２０だけである場合と比較して、スピーカ１１の振動板をより均一に振動させやすい。また、スピーカ格納部１４０に貫通孔１３１ａ，１３１ｂを設けることにより、スピーカ孔１２０から外部へ出力される音が、貫通孔１３１ａ，１３１ｂからも少なからず出力されるので、音を外部に出力させやすくする効果も期待される。なお実効振動半径とは、スピーカのうち実際に音を出すために振動させる部分（例えば、コーン紙など）の半径である。
【００２４】
図８及び図９に示す例では、通信機１が、互いに対称な位置（スピーカ１１の中心を通り、かつｙ軸に平行な直線に対して線対称な位置）に、気室５００から筐体３００の外部に通じている２つの貫通孔１３１ａ，１３１ｂを備えているが、この例に限定されるものではない。例えば、通信機１は、スピーカ１１の中心を挟んで、スピーカ孔１２０とは正反対の位置に１つの貫通孔を備えてもよい。また通信機１は、貫通孔１３１ａ，１３１ｂのうち一つのみ備えてもよい。通信機１は、貫通孔１３１ａ，１３１ｂに加えて気室５００から筐体３００の外部に通じる他の貫通孔をさらに備えてもよい。
【００２５】
図１０は、実施形態に係る通信機の機能構成の一例を示す図である。図１０に示すように、通信機１は、マイク２Ａと、マイク２Ｂと、マイク２Ｃと、キーパッド３と、ディスプレイ４と、近接センサ５と、通信ユニット６と、レシーバ７と、ストレージ９と、プロセッサ１０と、スピーカ１１と、カメラ１２と、コネクタ１と、ＬＥＤ２１と、送信キー２２と、音量調整キー２３と、緊急報知キー２４と、フラッシュ２５とを有する。
【００２６】
マイク２Ａは、通話中の送話音声を送信するために予め所定の操作が要求される無線機用サービスを提供する第１通話機能を用いた通話の送話音声を集音する。マイク２Ａは、通話中の送話音声を送信するために所定の操作が要求されない電話機用サービスを提供する第２通話機能を用いた通話中の送話音声も集音する。マイク２Ａは、例えば、プッシュ・トゥ・トーク（Ｐｕｓｈ−ｔｏ−Ｔａｌｋ、以下、「ＰＴＴ」）の送話音声、並びにスピーカ１１を用いたハンズフリー通話の送話音声を集音できる。
【００２７】
無線機用サービスは、ＰＴＴ及びＰＯＣ（Ｐｕｓｈ−ｔｏ−ｔａｌｋ  Ｏｖｅｒ  Ｃｅｌｌｕｌａｒ）などのＶｏＩＰ（Ｖｏｉｃｅ  ｏｖｅｒ  Ｉｎｔｅｒｎｅｔ  Ｐｒｏｔｏｃｏｌ）を利用したサービスの他、ＦＲＳ（Ｆａｍｉｌｙ  Ｒａｄｉｏ  Ｓｅｒｖｉｃｅ）、ＧＭＲＳ（Ｇｅｎｅｒａｌ  Ｍｏｂｉｌｅ  Ｒａｄｉｏ  Ｓｅｒｖｉｃｅ）を含む。電話機用サービスは、電気通信事業者が提供する携帯電話用の電話サービスを含む。
【００２８】
マイク２Ｂは、電話機用サービスを利用して実行される通話中の送話音声、又は音声認識処理用の音声など、筐体３００の内部（気室５００）に伝搬する音声を集音する。
【００２９】
マイク２Ｃは、通話中の周囲の雑音を低減するノイズキャンセリング処理に用いられる音を集音する。
【００３０】
キーパッド３は、ユーザからの操作入力を受け付ける複数のキーを備える。キーパッド３は、ユーザからの操作入力を受け付けると、プロセッサ１０に操作入力を受け付けた旨を通知する。キーパッド３が備えるキーの数は、任意の数であってよい。キーパッド３は、テンキー、ＱＷＥＲＴＹキーを含んでよい。キーパッド３は物理キーパッドの一例である。
【００３１】
ディスプレイ４は、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを含む。ディスプレイ４は、文字、画像、記号、及び図形等のオブジェクトを画面内に表示する。ディスプレイ４が表示するオブジェクトを含む画面は、ロック画面と呼ばれる画面、ホーム画面と呼ばれる画面、アプリケーションの実行中に表示されるアプリケーション画面を含む。ホーム画面は、デスクトップ、待受画面、アイドル画面、標準画面、アプリ一覧画面又はランチャー画面と呼ばれることもある。ディスプレイ４は表示部の一例である。
【００３２】
近接センサ５は、近隣の物体の存在を非接触で検出できる。近接センサ５は、磁界の変化又は超音波の反射波の帰還時間の変化等に基づいて物体の存在を検出する。近接センサ５は、例えば、ディスプレイ４にユーザの顔が接近したことを検出するのに用いてもよい。近接センサ５は、照度センサを近接センサとして用いてもよい。
【００３３】
通信ユニット６は、無線により通信できる。通信ユニット６は、無線通信規格をサポートする。通信ユニット６によってサポートされる無線通信規格には、例えば、２Ｇ、３Ｇ、４Ｇ、５Ｇ等のセルラーフォンの通信規格と、近距離無線の通信規格とが含まれる。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＩＥＥＥ８０２．１１（ＩＥＥＥは、Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，  Ｉｎｃ．の略称である）、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。ＷＰＡＮの通信規格には、例えば、ＺｉｇＢｅｅ（登録商標）、ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）、Ｚ−Ｗａｖｅ、ＷｉＳｕｎ（Ｗｉｒｅｌｅｓｓ  Ｓｍａｒｔ  Ｕｔｉｌｉｔｙ  Ｎｅｔｗｏｒｋ）が含まれる。通信ユニット６は、上述した通信規格の１つ又は複数をサポートしていてもよい。
【００３４】
レシーバ７は、プロセッサ１０から送信される音信号を音として出力できる。レシーバ７は、例えば、通信機１にて再生される動画の音、音楽の音、及び通話時の相手の声を出力できる。
【００３５】
ストレージ９は、プログラム及びデータを記憶できる。ストレージ９は、プロセッサ１０の処理結果を一時的に記憶する作業領域として利用してもよい。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００３６】
ストレージ９に記憶されるプログラムには、フォアグランド又はバックグランドで実行されるアプリケーションと、アプリケーションの動作を支援する基本プログラムとが含まれる。アプリケーションの画面は、例えば、フォアグランドで実行される場合に、ディスプレイ４に表示される。基本プログラムには、例えば、ＯＳ（Ｏｐｅｒａｔｉｎｇ  ｓｙｓｔｅｍ）が含まれる。アプリケーション及び基本プログラムは、通信ユニット６による無線通信又は非一過的な記憶媒体を介してストレージ９にインストールされてもよい。
【００３７】
ストレージ９は、制御プログラム９Ａ、電話アプリケーション９Ｂ、無線機用アプリケーション９Ｃ、及び設定データ９Ｚなどを記憶できる。
【００３８】
制御プログラム９Ａは、通信機１の各種動作に関する処理を実現するための機能をそれぞれ提供できる。制御プログラム９Ａが提供する機能は、近接センサ５の検出結果に基づいて、ディスプレイ２Ａの輝度を変更する機能を含む。制御プログラム９Ａが提供する機能は、マイク２Ａ，２Ｂ，２Ｃ、通信ユニット６、レシーバ７、及びスピーカ１１などを制御することによって通話を実現させる機能、及び通話中の受話音声からノイズを除去する機能を含む。制御プログラム９Ａが提供する機能は、カメラ１２の撮影処理を制御する機能を含む。制御プログラム９Ａが提供する機能は、コネクタ１３を介して接続される外部機器との間の通信を制御する機能を含む。
【００３９】
制御プログラム９Ａが提供する機能は、電話アプリケーション９Ｂと連携して、電話機用サービスを利用した通話を実現するための機能を含む。制御プログラム９Ａが提供する機能は、無線機用アプリケーション９Ｃと連携して、無線機用サービスを利用した通話を実現するための機能を含む。
【００４０】
設定データ９Ｚは、通信機１における処理に用いられる各種データを含んで構成される。
【００４１】
プロセッサ１０は、通信機１の動作を統括的に制御して各種の機能を実現できる。プロセッサ１０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含んでもよいが、これらに限定されない。ＳｏＣは、通信ユニット６等の他の構成要素が統合されていてもよい。プロセッサ１０は、プロセッサの一例である。
【００４２】
具体的には、プロセッサ１０は、ストレージ９に記憶されているデータを必要に応じて参照しつつ、ストレージ９に記憶されているプログラムに含まれる命令を実行する。プロセッサ１０は、データ及び命令に応じて機能部を制御し、それによって各種機能を実現する。機能部は、例えば、マイク２Ａ，２Ｂ，２Ｃ、ディスプレイ４、通信ユニット６、及びスピーカ１１の少なくとも１つを含むが、これらに限定されない。プロセッサ１０は、検出部の検出結果に応じて、制御を変更することがある。検出部は、例えば、マイク２Ａ，２Ｂ，２Ｃ、キーパッド３、近接センサ５、及びカメラ１２の少なくとも１つを含むが、これらに限定されない。
【００４３】
プロセッサ１０は、制御プログラム９Ａを実行することにより、電話アプリケーション９Ｂと連携して、電話機用サービスを利用した通話を実現する。プロセッサ１０は、制御プログラム９Ａを実行することにより、無線機用アプリケーション９Ｃと連携して、無線機用サービスを利用した通話を実現する。
【００４４】
スピーカ１１は、プロセッサ１０から送信される音信号を音として出力できる。スピーカ１１は、例えば、着信音、音楽、及びハンズフリー通話時の受話音声などを出力してもよい。
【００４５】
カメラ１２は、撮影した画像を電気信号へ変換できる。カメラ１２は、インカメラ及びアウトカメラを切り換えて利用可能なカメラユニットとして、機能的及び物理的に統合された状態で通信機１に実装されてもよい。
【００４６】
コネクタ１３は、他の装置が接続される端子である。コネクタ１３は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１３は、Ｄｏｃｋコネクタのような専用の端子でもよい。コネクタ１３に接続される装置は、例えば、外部ストレージ、スピーカ、及び通信装置を含むが、これらに限定されない。
【００４７】
ＬＥＤ２１は、プロセッサ１０の制御下で、所定のパターン又は色などで発光する。送信キー２２は、無線機用サービスを利用した通話時に送話音声の送信する操作を受け付ける。音量調節キー２３は、通話中の受話音声など、通信機１から出力する音の音量を調整する操作を受け付ける。緊急報知キー２４は、緊急事態などを周囲に報知するためのブザー音などをスピーカ１１などから出力する操作を受け付ける。フラッシュ２５は、カメラ１２の撮影時に被写体に照射する閃光、及びユーザの手元などを照らす光源などを提供する。
【００４８】
通信機１は、図１０に示す各機能部の他、照度センサ、モーションセンサ、ＧＰＳ受信機、及びバイブレータなどを備えてもよい。
【００４９】
照度センサは、照度を検出する。照度は、照度センサの測定面の単位面積に入射する光束の値である。照度センサは、例えば、ディスプレイ４の輝度の調整に用いることができる。モーションセンサは、通信機１を携帯するユーザの動作を判定するための各種情報を検出できる。モーションセンサは、加速度センサ、方位センサ、ジャイロセンサ、磁気センサ及び気圧センサなどを備えるセンサユニットとして構成されてよい。ＧＰＳ受信機は、ＧＰＳ衛星からの所定の周波数帯の電波信号を受信する。ＧＰＳ受信機は、受信した電波信号の復調処理を行って、処理後の信号をプロセッサ１０に送出する。ＧＰＳ受信機は、通信機１の現在位置の演算処理をサポートする。通信機１は、ＧＰＳ衛星以外の測位用人工衛星の信号を受信可能な受信機を備え、現在位置の演算処理を実行してもよい。バイブレータは、通信機１の一部又は全体を振動させる。バイブレータは、振動を発生させるために、例えば、圧電素子、又は偏心モータなどを有する。なお、通信機１は、バッテリなどのように、通信機１の機能を維持するために当然に用いられる機能部、及び通信機１の制御を実現するために当然に用いられる制御部を実装する。
【００５０】
上記の実施形態において、通信機１は、電話機用サービスに利用されるキーパッド３及びディスプレイ４を搭載するとともに、ＰＴＴなどの無線機用サービスに必要な音量を確保する実効振動半径φが１８ミリメートル以上のスピーカ１１を搭載することにより、ハイブリット型の通信機を提供できる。また、通信機１は、筐体３００の内部に形成される気室５００に通じる貫通孔１３１ａ，１３１ｂを備えることにより、スピーカ１１の振動板をできるだけ均一に振動させて、いわゆるローリング現象が発生することを防止できる。このため、通信機１は、ＰＴＴなどの無線機用サービスにおける音声性能を担保することができ、通信機の利便性を向上できる。
【００５１】
添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【００５２】
１  通信機
２Ａ  マイク
２Ｂ  マイク
２Ｃ  マイク
３  キーパッド
４  ディスプレイ
５  近接センサ
６  通信ユニット
７  レシーバ
９  ストレージ
９Ａ  制御プログラム
９Ｂ  電話アプリケーション
９Ｃ  無線機用アプリケーション
９Ｚ  設定データ
１０  プロセッサ
１１  スピーカ
１２  カメラ
１３  コネクタ
２１  ＬＥＤ
２２  送信キー
２３  音量調節キー
２４  緊急報知キー
２５  フラッシュ
【図１】
2018201160.tif 000003
【図２】
2018201160.tif 000004
【図３】
2018201160.tif 000005
【図４】
2018201160.tif 000006
【図５】
2018201160.tif 000007
【図６】
2018201160.tif 000008
【図７】
2018201160.tif 000009
【図８】
2018201160.tif 000010
【図９】
2018201160.tif 000011
【図１０】
2018201160.tif 000012